(57)【特許請求の範囲】
【請求項１】
チャイルドシートを車両の座席上に固定する際に使用するシートベルトを増締めするシートベルト増締め装置において、
両端が高くて中間部が窪んだ凹部を有する増締め基台と、前記増締め基台から立設して前記凹部の上方に延設する延設部を備えた立設部材と、該延設部に支持されて前記凹部に向けて移動可能な移動部材と、該移動部材の先端に設けられた押圧板と、を備えたことを特徴とするシートベルト増締め装置。
【請求項２】
前記移動部材をネジ部と操作部とが一体となった調節ネジで構成し、該ネジ部の螺合するネジ孔を前記延設部に形成したことを特徴とする請求項１記載のシートベルト増締め装置。
【請求項３】
前記チャイルドシート基部と、該チャイルドシート基部の上にリクライニング可能に取り付けられたチャイルドシート主部と、を有するチャイルドシートにおいて、
ガイド板を、前記チャイルドシート主部の略中央部付近に該チャイルドシート主部と一体的に取り付け、該ガイド板の中央部に前記チャイルドシート主部のリクライニング方向に細長いガイド溝を形成し、該ガイド溝に支持部材を挿通させ、該支持部材の一方を前記チャイルドシート基部に固定し、該支持部材の他方にシートベルト増締め装置を取り付け可能としたことを特徴とするシートベルト増締め装置対応チャイルドシート。
【請求項４】
前記支持部材の他方に請求項１又は２記載のシートベルト増締め装置の増締め基台を固定したことを特徴とする請求項３記載のシートベルト増締め装置対応チャイルドシート。
【請求項５】
前記ガイド板が前記シートベルト増締め装置を収納する収納部を有することを特徴とする請求項４記載のチャイルドシート。
【発明の詳細な説明】
【０００１】
【発明の属する技術分野】
本発明は、車両の座席上にシートベルトを利用してチャイルドシートを固定する際に、シートベルトを確実に増締めし、チャイルドシートを安定に且つ確実に固定するためのシートベルト増締め装置およびこれを備えたチャイルドシートに関する。
【０００２】
【従来の技術】
自動車に幼児を乗せる場合、幼児の安全を図るためにチャイルドシートが使用される。チャイルドシートの一例を図５及び図６を用いて説明する。
図５に示すように、チャイルドシートＣＳは、幼児を収容するためにシートバックＡとシートクッションＢとを一体にしたチャイルドシート主部５０と、該チャイルドシート主部５０を一体又はリクライニング可能に結合するチャイルドシート基部５１とを備えている。シートクッションＢの前部中央には腹当て部材５２が立設され、その上方にバックル５５が設けられている。シートバックＡの背面側から肩ベルト通し孔５３，５３を通して引き出される肩ベルト５４，５４と、シートクッションＢに固定のシートベルト５４’，５４’とがそれぞれ着脱金具５６，５６によって腹当て部材５２のバックル５５に着脱自在に固定される。
【０００３】
図６に示すように、肩ベルト５４は、シートバックＡの背面側で板状のベルト調整金具５７の一端に固定され、ベルト調整金具５７の他端にはリトラクタから引き出された長さ調整ベルト５８が固定されている。リトラクタは、シートバックＡの下部に内装され、長さ調整ベルト５８が引出し口５９から引き出される。
肩ベルト通し孔５３，５３は左右を対として複数対（図では３対）が縦方向に設けられており、幼児の成長とともに、肩ベルト通し孔５３の使用位置を上の方に移し、最適に肩を押さえるようにしている。
また、シートバックＡの上部には、幼児の頭を固定するためのヘッドレスト６０（図５）が上下方向に調整可能に取り付けられている。そして、ヘッドレスト６０の両端には、ヘッドサポート６０ａ，６０ａが固定されていて、幼児の頭部が左右方向にぐらつかないようになっている。
【０００４】
このようなチャイルドシートＣＳを自動車の座席に固定する場合は、チャイルドシート基部５１を自動車の座席に載置し、車両シートベルト６１によってチャイルドシート基部５１を固定する。固定のしかたはいろいろあるが、１つの方法は次のとおりである。シートベルト６１にはタング２３が取り付けられているので、このタング２３を引くと車両のリトラクタからショルダー側ベルト６１Ｓが引き出される（ここでは、このタング２３を境にしてショルダー側に位置する車両シートベルトの部分を「ショルダー側ベルト６１Ｓ」と呼び、ウエスト側ベルト側に位置する車両シートベルトの部分を「ウエスト側ベルト６１Ｗ」と呼ぶことにする。）ので、そのタング２３を引いてショルダー側ベルト６１Ｓを引き出してチャイルドシート基部５１の凹部５１１を通して反対側へ出した後、そのタング２３を、シート又はフロアに一端が固定のフロア固定シートベルト２４の他端に取り付けられているバックル２５に係合させることにより、車両シートベルト６１によってチャイルドシートＣＳが座席に固定される。この後、ショルダー側ベルト６１Ｓを車両リトラクタ側に引き戻すことによって車両シートベルト６１の緩みがなくなり、チャイルドシートＣＳは車両の座席に固定される。
このようにして、チャイルドシートＣＳのチャイルドシート基部５１を車両シートベルト６１によって自動車の座席に固定した後、チャイルドシート主部５０のシートクッションＢに幼児を腰掛けさせる。そして、幼児の後方から肩ベルト５４，５４を引き出し、その着脱金具５６，５６を腹当て部材５２のバックル５５に係合固定することにより、幼児は腹当て部材５２および肩ベルト５４等によりシートクッションＢ上に抜け出し不可に押さえ付けられる。従って、自動車が急停車したような場合であっても、幼児がフロントシートにぶつかる等の事故を防止できる。
【０００５】
【発明が解決しようとする課題】
しかしながら、運転中に自動車の揺れ等で車両シートベルトが弛んでくることがあるので、従来より車両シートベルトのショルダー側ベルトとウエスト側ベルトの重なり部分をクリップ等を用いて固定していた。ところが、従来のようなクリップを用いる固定は煩雑であり、増締め操作に簡易性が欠けていた。
【０００６】
本発明の目的は、車両のシートベルトを用いてチャイルドシートを車両の座席上に固定する際、容易に強い増締め状態が維持できるシートベルト用の増締め装置およびこれを備えたチャイルドシートを提供することにある。
【０００７】
【課題を解決するための手段】
上記目的を達成するため、請求項１記載のシートベルト増締め装置の発明は、チャイルドシートを車両の座席上に固定する際に使用するシートベルトを増締めするシートベルト増締め装置において、両端が高くて中間部が窪んだ凹部を有する増締め基台と、前記増締め基台から立設して前記凹部の上方に延設する延設部を備えた立設部材と、該延設部に支持されて前記凹部に向けて移動可能な移動部材と、該移動部材の先端に設けられた押圧板と、を備えたことを特徴とする。
請求項２記載の発明は、請求項１記載のシートベルト増締め装置において、前記移動部材をネジ部と操作部とが一体となった調節ネジで構成し、該ネジ部の螺合するネジ孔を前記延設部に形成したことを特徴とする。
【０００８】
以上の構成のシートベルト増締め装置によれば、前記増締め基台にはベルトを押し込むための凹部が形成され、増締め基台の一端に回動自在に設けられた調節ネジには回動によりベルトを凹部内に押し込む押圧板が設けられているので、増締め基台にベルトを架け渡し、調節ネジを回動することによって、凹部上に架け渡されているベルト部分が押圧板に押圧されて凹部内に押し込められ、この際の押し込み量に応じてベルトの張りが増加し、増締めが行われる。
【０００９】
請求項３記載のシートベルト増締め装置対応チャイルドシートの発明は、前記チャイルドシート基部と、該チャイルドシート基部の上にリクライニング可能に取り付けられたチャイルドシート主部と、を有するチャイルドシートにおいて、ガイド板を、前記チャイルドシート主部の略中央部付近に該チャイルドシート主部と一体的に取り付け、該ガイド板の中央部に前記チャイルドシート主部のリクライニング方向に細長いガイド溝を形成し、該ガイド溝に支持部材を挿通させ、該支持部材の一方を前記チャイルドシート基部に固定し、該支持部材の他方にシートベルト増締め装置を取り付け可能としたことを特徴とする。
請求項４記載の発明は、請求項３記載のシートベルト増締め装置対応チャイルドシートにおいて、前記支持部材の他方に請求項１又は２記載のシートベルト増締め装置の増締め基台を固定したことを特徴とする。
請求項５記載の発明は、請求項４記載のチャイルドシートにおいて、前記ガイド板が前記シートベルト増締め装置を収納する収納部を有することを特徴とする。
【００１０】
以上の構成のチャイルドシートによれば、リクライニング式のチャイルドシートであっても、この請求項１又は２記載のシートベルト増締め装置を使い易い位置に配備することが可能となる。
【００１１】
【発明の実施の形態】
以下に、本発明によるシートベルト増締め装置を図面を用いて説明する。
図１は本発明によるシートベルト増締め装置の構成を示す斜視図であり、増締め前の状態を示している。図２は増締め状態のシートベルト増締め装置を示す正面である。
本発明による増締め装置１の構成を大別すると、図１及び図２に示すように、両端が高くて中央部に凹状の窪みのある凹部２を形成した増締め基台３と、この増締め基台３の側面から立設して前記凹部２の上方に延設する延設部たる平板部４ａを有するＬ字状の立設部材４と、この立設部材４の平板部４ａに形成したネジ孔５に螺合して回動する調節ネジ６（移動部材）と、この調節ネジ６のネジ部先端に固定されてその回動操作により上下して前記凹部２に押し込まれることのできる押圧板７等を備えている。調節ネジ６は、ネジ部６ａと円板状の操作部６ｂとを一体的に形成され、円板状操作部６ｂを回動させることにより、ネジ部６ａの下端に遊動自在に取り付けた押圧板７を上下させるようになっている。すなわち、操作部６ｂを図１において例えば矢印Ａ方向に回動させることにより、押圧板７が凹部２内に入り込み、逆に、矢印Ｂ方向に回動させることにより、押圧板７が凹部２から上方に抜け出るようになっている。
また、図１において、増締め基台３の横幅Ｗはシートベルト６１の横幅に対しやや大に設定され、長さＬはチャイルドシートＣＳの幅や構造に合わせて適宜選定すればよい。
【００１２】
次に、本発明によるこのシートベルト増締め装置の使用法を説明する。
まず、操作部６ｂを矢印Ｂ方向に回動させて押圧板７を引き上げ、増締め基台３の上面と押圧板７との間に十分に広い隙間を作って、増締め装置１の前方から増締め基台３の上面と押圧板７との間にシートベルト６１を差し込み易くする（図１参照）。シートベルト６１をこの増締め基台３の上面と押圧板７との隙間に差し込んだ後、操作部６ｂを矢印Ａ方向に回動操作し、押圧板７を下降させる。その結果、図２に示すようにシートベルト６１が押圧板７によって凹部２内に押し込まれ、その押し込み量に対応してシートベルト６１が増締めされる。
なお、図２においては、シートベルト６１が凹部２の底面に接触するまで押し込まれているように想像線で描いてあるが、これは例示であって、実際にはシートベルト６１の張り具合が十分であれば途中で押し込みを停止してもよい。
以上のように、シートベルト６１の張り具合を調節した後、調節ネジ６の回動を停止すると、ネジ部６ｂがネジ孔５に螺合しているので、調節ネジ６が逆回動することはなく、増締め状態が確実に保持される。
【００１３】
次に、本発明の第２の実施の形態である増締め装置１のチャイルドシートＣＳへの取付け構造を説明する。
図３及び図４は本発明の第１の実施の形態であるシートベルト増締め装置を第２の実施の形態により工夫してチャイルドシートに配設したそのチャイルドシートの斜視図で、図３は扉１７を閉じた状態のチャイルドシートの斜視図であり、図４は図３の扉１７を開いた状態のチャイルドシートを図３とは異なる方向から見た斜視図である。図４からわかるように、増締め装置１はチャイルドシート基部１２の中央部分に取り付けられている。すなわち、増締め装置１の下方には図１〜図３に示すようにガイド板１３が設けられており、このガイド板１３はシート部１１に一体的に設けられていてリクライニングできるシート部１１と共動するようになっている。そこで、このガイド板１３のほぼ中央部に、矢印Ｃ−Ｄ方向、すなわちシート部１１のリクライニング方向に沿って細長いガイド溝１４を設けて、このガイド溝１４に支持部材１５（図２）を挿通し、支持部材１５の一端を増締め基台３の下端に固定し、他端をチャイルドシート基部１２に固定している。
このように取り付けることによって、チャイルドシート基部１２に取り付けられている増締め基台３の下面とガイド板１３の上面との間、更にガイド板１３のガイド溝１４と支持部材１５との間には隙間が設けられ、前記のようにシート部１１が矢印Ｃ−Ｄ方向にリクライニングする際、ガイド板１３は増締め基台３及び支持部材１５のいずれにも接触せず、円滑に移動し得るようになっている。
【００１４】
ところで、増締め装置１がシート部１１に露呈していると邪魔であり、また、シートベルト６１の締め付けや増締めを行う際の作業性、使い勝手を考慮すると、増締め装置１はシート部１１の上面にあって、そこから締め付けを行なえる方が好ましい。そこで本発明の第３の実施の形態では、図３及び図４に示すようにシート部１１にヒンジ１６を中心に開閉する扉１７を設け、この扉１７の下部に形成した収納部１８に増締め装置１を設置するようにしている。また、扉１７には開閉操作を行うための操作つまみ１９が設けられている。扉１７は、チャイルドシートＣＳを使用する場合、幼児に痛みや違和感を与えないように収納部１８を閉塞するように閉じられる。これに対し、チャイルドシートＣＳを座席上に固定する場合、或いはシートベルト６１を増締めする場合に扉１７を矢印Ｅ方向に回動し、収納部１８を開けるようになっている。
【００１５】
次に、チャイルドシートＣＳを座席に取付けて、本発明による増締め装置１を用いたシートベルト６１の増締めについて説明する。
まず、座席上の所定位置にチャイルドシートＣＳを載せ、図３に示すようにヒンジ１６を中心にして閉じられている扉１７を矢印Ｅ方向に回動させて、収納部１８内に納められている本発明の増締め装置１を図４のように露呈させる。そこで、調節ネジ６を矢印Ｂ方向に回動させて押圧板７を引き上げ、増締め基台３の上面と押圧板７との間に大きな隙間を作る。次いで、ショルダー側ベルト６１のタング２３を引いて図３の右上方の図示のない車両リトラクタからシートベルト６１を引き出し、チャイルドシート基部５１の凹部５１１を通して収納部１８内にシートベルト６１を取り込み、増締め基台３と押圧板７との間の大きな隙間にシートベルト６１を差し込んだ後、反対（図４において左側）側へ出して、そのタング２３を座席又はフロアに一端が固定のフロア固定シートベルト２４の他端に取り付けられているバックル２５に係合させて、車両シートベルト６１でチャイルドシートＣＳを座席に一応固定する。
この後、シートベルト６１のショルダー側ベルト６１Ｓを車両リトラクタ側に引き戻すことによって車両シートベルト６１の緩みを無くする。
次いで、増締め装置１を用いて増締めを行う。すなわち、図１の状態で、調節ネジ６を矢印Ａ方向に回動操作し、押圧板７を下降させる。その結果、図２に示すようにシートベルト６１が押圧板７によって凹部２内に押し込まれ、その押し込み量に対応してシートベルト６１が増締めされ、チャイルドシートを車両の座席上に確実に固定することができる。
最後に、開いていた扉１７を閉じれば、増締め装置１がシート部１１の下に隠れるので美観も損なわれず、邪魔にもならない。
なお、図示はしていないが、シートベルト増締め装置１の両側には、シートベルト増締め装置１と同様にチャイルドシート基部５１に固定されたシートベルト押さえ金具が設けられており、シートベルト増締め装置１に導入およびシートベルト増締め装置１から導出されるシートベルトを所定の距離水平状態に保つようにしている。
【００１６】
【発明の効果】
以上に説明した如く、本発明のシートベルト増締め装置によれば、増締め基台にシートベルトを架け渡し、調節ネジを回動することによって、凹部上に架け渡されているベルト部分が押圧板に押圧されて凹部内に押し込められ、この際の押し込み量に応じてベルトの張りが増加し、増締めが簡単に行われる。
また、このシートベルト増締め装置を備えた以上の構成のチャイルドシートによれば、リクライニング式のチャイルドシートであっても、シートベルト増締め装置を使い易い位置に配備することが可能となり、しかも美観も損なわれない。
【図面の簡単な説明】
【図１】本発明のシートベルト増締め装置の構成を示す斜視図である。
【図２】本発明のシートベルト増締め装置を用いた増締め状態を示す正面図である。
【図３】シートベルト増締め装置を適用したチャイルドシートの斜視図である。
【図４】図３の扉１７を開いた状態のチャイルドシートを図３とは異なる方向から見た斜視図である。
【図５】本発明が対象とするチャイルドシートの構成を示す正面側の斜視図である。
【図６】図５のチャイルドシートの背面側を示す斜視図である。
【符号の説明】
１    シートベルト増締め装置
２    凹部
３    増締め基台
４    立設部材
５    ネジ孔
６    調節ネジ
７    押圧板
１１    シート部
１２    チャイルドシート基部
１３    ガイド板
１４    ガイド溝
１５    支持部材
１７    扉
１８    収納部
２３    タング
２４    固定ベルト
２５    係合具
６１    シートベルト
６１Ｓ  ショルダー側ベルト
６１Ｗ  ウエスト側ベルト
【図１】
0004472133.tif 000002
【図２】
0004472133.tif 000003
【図３】
0004472133.tif 000004
【図４】
0004472133.tif 000005
【図５】
0004472133.tif 000006
【図６】
0004472133.tif 000007